(57)【要約】【課題】少数の能動素子でテレビジョン信号又はＦＭ放送信号を切り替えて入力同調回路に入力し、テレビジョン信号の受信時における信号ロスを少なくし、ＦＭ放送信号によるテレビジョン信号時の妨害を軽減する。【解決手段】第一の入力端子１を入力同調回路６の入力端６ａに結合し、第二の入力端子１１と入力同調回路６の入力端６ａとの間には直列に接続されると共に、共にオン又はオフに切り替えられる第一及び第二のダイオード１５、１７を設け、第一のダイオード１５を入力同調回路６の入力端６ａに結合すると共に第二のダイオード１４を第二の入力端子１１側に配置し、第二の入力端子１１と第二のダイオード１４との間にインダクタンス素子１２を介挿すると共に、第二のダイオード１４のオン状態時にインダクタンス素子１２と共にローパスフィルタを構成する第一の容量素子１７を第一のダイオード１５と第二のダイオード１４との接続点とグランドとの間に接続した。【選択図】　　　　図１
0003097062.tif 000002
【実用新案登録請求の範囲】
【請求項１】
テレビジョン信号が入力される第一の入力端子と、ＦＭ放送信号が入力される第二の入力端子と、前記テレビジョン信号及び前記ＦＭ放送信号に同調する入力同調回路とを備え、前記第一の入力端子を前記入力同調回路の入力端に結合し、前記第二の入力端子と前記入力同調回路の入力端との間には直列に接続されると共に、共にオン又はオフに切り替えられる第一及び第二のダイオードを設け、前記第一のダイオードを前記入力同調回路の入力端に結合すると共に前記第二のダイオードを前記第二の入力端子側に配置し、前記第二の入力端子と前記第二のダイオードとの間にインダクタンス素子を介挿すると共に、前記第二のダイオードのオン状態時に前記インダクタンス素子と共にローパスフィルタを構成する第一の容量素子を前記第一のダイオードと前記第二のダイオードとの接続点とグランドとの間に接続したことを特徴とするテレビジョンチューナの入力回路。
【請求項２】
前記第一及び第二のスイッチと共にオン又はオフに切り替えられる第三のダイオードを前記インダクタンス素子と前記第二のダイオードとの間に介挿し、前記第二及び第三のダイオードのオン状態時に前記インダクタンス素子及び前記第一の容量素子と共にローパスフィルタを構成する第二の容量素子を前記第二のダイオードと前記第三のダイオードとの接続点とグランドとの間に接続したことを特徴とする請求項１に記載のテレビジョンチューナの入力回路。
【請求項３】
前記第一の入力端子と前記入力同調回路の入力端との間にＦＭ放送帯を減衰するＦＭトラップ回路を設け、前記第一のダイオードと前記第二のダイオードとの接続点と前記ＦＭトラップ回路の入力端との間に第四のダイオードを接続し、前記第四のダイオードを前記第一乃至第三のダイオードと共にオン又はオフに切り替えたことを特徴とする請求項１又は２に記載のテレビジョンチューナの入力回路。
【請求項４】
エミッタが接地されると共にコレクタが給電抵抗によって電源電圧にプルアップされたトランジスタを設け、前記第一及び第二及び第四のダイオードの各カソードを相互に接続すると共に、前記第二及び第三のダイオードの各アノードを相互に接続し、前記第一乃至第四のダイオードの各アノードには前記電源電圧よりも低いバイアス電圧を供給し、前記第一及び第二及び第四のダイオードの各カソードを共通の第一の抵抗を介して前記トランジスタのコレクタに接続すると共に、前記第三のダイオードのカソードを第二の抵抗を介して前記トランジスタにコレクタに接続し、前記トランジスタをオン又はオフに切り替えたことを特徴とする請求項３に記載のテレビジョンチューナの入力回路。
【考案の詳細な説明】
【０００１】
【考案の属する技術分野】
本考案は、テレビジョンチューナの入力回路に関する。
【０００２】
【従来の技術】
従来のテレビジョンチューナの入力回路を図２に従って説明する。テレビジョン信号が入力される第一の端子５１はＣＢバンドを減衰するＣＢラップ５２によってシャントされると共に、中間周波帯を減衰するＩＦトラップ回路５３、ＦＭ放送帯を減衰するＦＭトラップ回路５４、直列接続された第一及び第二のダイオード５５、５６を順次介して入力同調回路５７に結合される。第一及び第二のダイオード５５。５６のカソードは相互に接続され、第一のダイオード５５は第一の入力端子５１側、第二のダイオードは入力同調回路５７側に設けられる。入力同調回路５７はＶＨＦ帯のローバンド又はハイバンドに同調するようにダイオード５７ａによって切り替えられる。
【０００３】
一方、ＦＭ放送信号が入力される第二の端子６１はインダクタンス素子６２、直列接続された第三及び第四のダイオード６３、６４を順次介して入力同調回路５７に結合される。第三及び第四のダイオード６３、６４のカソードは相互に接続され、第三のダイオード６３は第二の入力端子６１側に設けられ、第四のダイオード６４は入力同調回路５７側に設けられると共にそのアノードは第二のダイオード５６のアノードに接続される。
そして、第一乃至第四のダイオード５５、５６、６３、６４のアノード及びカソードには電源電圧Ｂを分圧する分圧回路６０からのバイアス電圧がそれぞれ独立して印加される。
【０００４】
また、第一のダイオード５５のアノードには第五のダイオード５８のアノードが接続され、そのカソードは第一のトランジスタ７０のコレクタに接続される。第一のトランジスタ６１のエミッタは接地され、コレクタには分圧回路６０からのバイアス電圧が印加される。また、第三及び第四のダイオードのカソードも第一のトランジスタ６１のコレクタに接続される。
さらに、第三のダイオード６３のアノードにはバラクタダイオード６５のアノードが接続され、そのカソードは第二のトランジスタ７１のコレクタに接続される。第二のトランジスタ７１のエミッタは接地され、コレクタには分圧回路６０からのバイアス電圧が印加される。ベースは第一のトランジスタ７０のコレクタに接続される。
第一及び第二のトランジスタ７０、７１のコレクタはそれぞれ直流カットコンデンサ７２、７３によって高周波的に接地される。
【０００５】
以上の構成において、第一のトランジスタをオンにすれば、第二のトランジスタ７１がオフとなり、これによって、第一及び第二のダイオード５５、５６とバラクタダイオード６５とがオフとなり、第三及び第四のダイオード６３、６４と第五のダイオード５８とがオンとなる。よって、第二の入力端６１に入力されたＦＭ放送信号のみが入力同調回路５７に入力される。この場合、インダクタンス素子６２とバラクタダイオード６５とによってローパスフィルタが構成される。
【０００６】
一方、第一のトランジスタをオフにすれば、第二のトランジスタ７１がオンとなり、これによって、第一及び第二のダイオード５５、５６とバラクタダイオード６５とがオンとなり、第三及び第四のダイオード６３、６４と第五のダイオード５８とがオフとなる。よって、第一の入力端５１に入力されたテレビジョン信号のみが入力同調回路５７に入力される。
【０００７】
【考案が解決しようとする課題】
上記従来の構成では、テレビジョン信号又はＦＭ放送信号を切り替えて入力同調回路に入力するために、多数の能動素子（五個のダイオードと一個のバラクタダイオードと二個のトランジスタ）を使用するためコスト上昇を招く。また、音声だけのＦＭ放送を受信する場合よりも映像信号を伴うテレビ放送を受信する場合のほうがＮＦ等の電気的が要求されるのにも係わらず、テレビジョン信号が二つのダイオードを介して入力同調回路に入力されるので、ダイオードによる信号ロスでＮＦが悪化するという問題がある。
【０００８】
さらに、テレビ放送受信時では、ＦＭ放送信号を遮断すべきダイオードの端子間容量によって第一の入力端子と入力同調回路との間が完全に遮断できないので、ＦＭ放送信号がテレビジョン信号に重畳されて妨害を受けるという問題がある。
本考案は、少数の能動素子でテレビジョン信号又はＦＭ放送信号を切り替えて入力同調回路に入力し、テレビジョン信号の受信時における信号ロスを少なくし、ＦＭ放送信号によるテレビジョン信号時の妨害を軽減することを目的とする。
【０００９】
【課題を解決するための手段】
上記課題を解決するため、本考案は、テレビジョン信号が入力される第一の入力端子と、ＦＭ放送信号が入力される第二の入力端子と、前記テレビジョン信号及び前記ＦＭ放送信号に同調する入力同調回路とを備え、前記第一の入力端子を前記入力同調回路の入力端に結合し、前記第二の入力端子と前記入力同調回路の入力端との間には直列に接続されると共に、共にオン又はオフに切り替えられる第一及び第二のダイオードを設け、前記第一のダイオードを前記入力同調回路の入力端に結合すると共に前記第二のダイオードを前記第二の入力端子側に配置し、前記第二の入力端子と前記第二のダイオードとの間にインダクタンス素子を介挿すると共に、前記第二のダイオードのオン状態時に前記インダクタンス素子と共にローパスフィルタを構成する第一の容量素子を前記第一のダイオードと前記第二のダイオードとの接続点とグランドとの間に接続した。
【００１０】
また、前記第一及び第二のスイッチと共にオン又はオフに切り替えられる第三のダイオードを前記インダクタンス素子と前記第二のダイオードとの間に介挿し、前記第二及び第三のダイオードのオン状態時に前記インダクタンス素子及び前記第一の容量素子と共にローパスフィルタを構成する第二の容量素子を前記第二のダイオードと前記第三のダイオードとの接続点とグランドとの間に接続した。
【００１１】
また、前記第一の入力端子と前記入力同調回路の入力端との間にＦＭ放送帯を減衰するＦＭトラップ回路を設け、前記第一のダイオードと前記第二のダイオードとの接続点と前記ＦＭトラップ回路の入力端との間に第四のダイオードを接続し、前記第四のダイオードを前記第一乃至第三のダイオードと共にオン又はオフに切り替えた。
【００１２】
また、エミッタが接地されると共にコレクタが給電抵抗によって電源電圧にプルアップされたトランジスタを設け、前記第一及び第二及び第四のダイオードの各カソードを相互に接続すると共に、前記第二及び第三のダイオードの各アノードを相互に接続し、前記第一乃至第四のダイオードの各アノードには前記電源電圧よりも低いバイアス電圧を供給し、前記第一及び第二及び第四のダイオードの各カソードを共通の第一の抵抗を介して前記トランジスタのコレクタに接続すると共に、前記第三のダイオードのカソードを第二の抵抗を介して前記トランジスタにコレクタに接続し、前記トランジスタをオン又はオフに切り替えた。
【００１３】
【考案の実施の形態】
本考案のテレビジョンチューナの入力回路を図１に示す。図１において、テレビジョン信号が入力される第一の端子１はＣＢバンドを減衰するＣＢラップ２によってシャントされると共に、中間周波帯を減衰するＩＦトラップ回路３、ＦＭ放送帯を減衰するＦＭトラップ回路４、結合用容量素子５を順次介して入力同調回路６の入力端６ａに結合される。ＩＦトラップ回路３及びＦＭトラップ回路４はそれぞれ並列共振回路で構成される。また、結合用容量素子５には抵抗７が並列に接続される。入力同調回路６はＶＨＦ帯のローバンド又はハイバンドに同調するようにダイオード６ｂによって切り替えられる。
【００１４】
一方、ＦＭ放送信号が入力される第二の端子１１はインダクタンス素子１２、直列接続された第三のダイオード１３及び第二のダイオード１４及び第一のダイオード１５、結合用容量素子５を順次介して入力同調回路６の入力端６ａに結合される。第一のダイオード１５と第二のダイオード１４とはカソード同士が相互に接続され、第二のダイオード１４と第三のダイオード１３とはアノード同士が相互に接続される。そして、第一のダイオード１５が入力同調回路６側に配置され、第三のダイオード１３が第二の入力端子１１側に配置される。また、ＩＦトラップ回路３とＦＭトラップ回路４との接続点には第四のダイオード１６のアノードが接続され、そのカソードは第一のダイオード１５と第二のダイオード１４との接続点に接続される。
【００１５】
第一のダイオード１５及び第二のダイオード１４及び第四のダイオード１５のカソード同士の接続点は第一の容量素子１７によって接地され、第二のダイオード１４及び第三のダイオード１３のカソード同士の接続点は第二の容量素子１８によって接地される。これら第一及び第二の容量素子１７、１８は、第二のダイオード１４及び第三のダイオードがオンとなったときにインダクタンス素子１２とともにローパスフィルタを構成するものであり、容量値は互いに等しいことが望ましい。
【００１６】
電源電圧Ｂを抵抗によって分圧してバイアス電圧を生成する分圧回路２１と、エミッタが接地されると共にコレクタが給電抵抗２２によって電源電圧にプルアップされたトランジスタ２３とが設けられる。そして、分圧回路２１からのバイアス電圧が、入力同調回路６内のインダクタンス素子６ｃ、６ｄを介して第一及び第四のダイオード１５、１６のアノードに印加され、また、バイアス電圧は抵抗２４を介して第二及び第三のダイオード１４、１３のアノードにも印加される。
【００１７】
そして、第一のダイオード１５及び第二のダイオード１４及び第四のダイオード１５のカソード同士の接続点が抵抗２５によってトランジスタ２３のコレクタに接続され、第三のダイオード１３のカソードも抵抗２６によってトランジスタ２３のコレクタに接続される。
【００１８】
なお、第三のダイオード１３を削除することも可能であるが、その場合にはインダクタンス素子１２と第二の容量素子１４のアノードとを直接接続して第二の容量素子１８と抵抗２６を削除する。そして、インダクタンス素子１２と第一の容量素子１７によってローパスフィルタを構成する。
【００１９】
以上の構成において、トランジスタ２３をオンにすれば第一乃至第四の全てのダイオード１５、１４、１３、１６がオンとなる。これによって、第二の入力端１１に入力されたＦＭ放送信号は第三のダイオード１３、第二のダイオード１４、第一のダイオード、結合用容量素子５を直列に介して入力同調回路６に入力される。この場合、インダクタンス素子１２と第一及び第二の容量素子１７、１８とによってローパスフィルタが構成されるので、ＦＭ放送信号よりも高い周波数の信号はカットされる。
【００２０】
なお、第一の入力端子１１にテレビジョン信号とＦＭ放送信号とを入力するシステムでは、ＦＭトラップ回路４の両端が第一のダイオード１５と第四のダイオード１６とによって短絡されるので、ＦＭ放送信号の受信が可能である。
【００２１】
一方、トランジスタ２３をオフにすれば、第一乃至第四の全てのダイオード１５、１４、１３、１６がオフとなる。これによって、第一の入力端１に入力されたテレビジョン信号のみが入力同調回路６に入力される。この場合において、テレビジョン信号が通過するライン（第一の入力端子１と入力同調回路６との間の信号ライン）上には直列に介在するダイオードが無いため、ダイオードによるロスが発生しない。よってＮＦ（雑音指数）等の基本的な電気性能が改善される。
【００２２】
また、第二及び第三のダイオード１４、１３のそれぞれの端子間の容量値は第一の容量素子１７及び第三の容量素子１８の容量値よりも極めて小さくなる。従って、第二の入力端子１１に入力されたＦＭ放送信号は各端子間の容量と第一及び第二の容量素子とによって分圧されるのでそのレベルが低くなる。よって、テレビジョン信号の通過するライン側（第一の入力端子１と入力同調回路６との間の信号ライン）に漏れるレベルが低くなってテレビジョン信号への重畳による妨害が大幅に軽減される。
【００２３】
そして、図１から明らかなように、四個のダイオードとそれを制御する一個のトランジスタによってテレビジョン信号とＦＭ放送信号とを切り替えるようにしているので、使用する能動部品のみならずそれらの周辺部品も少なくなるので、回路構成が簡単となる。
【００２４】
【考案の効果】
以上説明したように、本考案においては、第一の入力端子を入力同調回路の入力端に結合し、第二の入力端子と入力同調回路の入力端との間には直列に接続されると共に、共にオン又はオフに切り替えられる第一及び第二のダイオードを設け、第一のダイオードを入力同調回路の入力端に結合すると共に第二のダイオードを第二の入力端子側に配置し、第二の入力端子と第二のダイオードとの間にインダクタンス素子を介挿すると共に、第二のダイオードのオン状態時にインダクタンス素子と共にローパスフィルタを構成する第一の容量素子を第一のダイオードと第二のダイオードとの接続点とグランドとの間に接続したので、テレビジョン信号を受信する場合にダイオードによるロスが発生しない。よってＮＦ（雑音指数）等の基本的な電気性能が改善される。また、ＦＭ放送信号は第一のダイオードの端子間容量と第一の容量素子とによって分圧されるのでそのレベルが低くなる。よって、テレビジョン信号の通過するライン側に漏れるレベルが低くなってテレビジョン信号への重畳による妨害が大幅に軽減される。
【００２５】
また、第一及び第二のスイッチと共にオン又はオフに切り替えられる第三のダイオードをインダクタンス素子と第二のダイオードとの間に介挿し、第二及び第三のダイオードのオン状態時にインダクタンス素子及び第一の容量素子と共にローパスフィルタを構成する第二の容量素子を第二のダイオードと第三のダイオードとの接続点とグランドとの間に接続したので、ＦＭ放送信号がさらに分圧されてレベルが低くなる。よって、ＦＭ放送信号による妨害は一層軽減される。
【００２６】
また、第一の入力端子と入力同調回路の入力端との間にＦＭ放送帯を減衰するＦＭトラップ回路を設け、第一のダイオードと第二のダイオードとの接続点とＦＭトラップ回路の入力端との間に第四のダイオードを接続し、第四のダイオードを第一乃至第三のダイオードと共にオン又はオフに切り替えたので、第一の入力端子からＦＭを入力してもそれを受信できる。
【００２７】
また、エミッタが接地されると共にコレクタが給電抵抗によって電源電圧にプルアップされたトランジスタを設け、第一及び第二及び第四のダイオードの各カソードを相互に接続すると共に、第二及び第三のダイオードの各アノードを相互に接続し、第一乃至第四のダイオードの各アノードには電源電圧よりも低いバイアス電圧を供給し、第一及び第二及び第四のダイオードの各カソードを共通の第一の抵抗を介してトランジスタのコレクタに接続すると共に、第三のダイオードのカソードを第二の抵抗を介して前記トランジスタにコレクタに接続し、トランジスタをオン又はオフに切り替えたので、第一乃至第四のダイオードのオン／オフを簡単に制御できる。また、テレビジョン信号とＦＭ放送信号を能動素子で切り替えられるので回路構成が簡単になる。
【図面の簡単な説明】
【図１】本考案のテレビジョンチューナの入力回路の構成を示す回路図である。
【図２】従来のテレビジョンチューナの入力回路の構成を示す回路図である。
【符号の説明】
１　第一の入力端子
２　ＣＢトラップ回路
３　ＩＦトラップ回路
４　ＦＭトラップ回路
５　結合用容量素子
６　入力同調回路
６ａ　入力端
６ｂ　ダイオード
６ｃ、６ｄ　インダクタンス素子
７　抵抗
１１　第二の入力端子
１２　インダクタンス素子
１３　第三のダイオード
１４　第二のダイオード
１５　第一のダイオード
１６　第四のダイオード
１７　第一の容量素子
１８　第二の容量素子
２１　分圧回路
２２　給電抵抗
２３　トランジスタ
１４、２５、２６　抵抗
【図１】
0003097062.tif 000003
【図２】
0003097062.tif 000004